(57)【要約】【課題】  ゲートの開放初期の段階においては、強い操作力に頼ることなく、開閉用レバーの操作力を抑えた状態で容易にゲートを開放することができる生コンクリート用のバケットを提供する。【解決手段】  ホッパ本体１と、このホッパ本体１に回転中心３ａのまわりに回転自在に取り付けたゲート４ａ，４ｂと、該ゲート４ａ，４ｂを開閉操作する開閉用レバー５とを備え、ホッパ本体１に突設された固定軸９と、この固定軸９のまわりに回転自在で開閉用レバー５の基端部５ａを固定した第１リンク１０と、該リンク１０に第１ピン１２のまわりに回転自在でゲート４ａの側板に第２ピン１３のまわりに回転自在に取り付た第２リンク１１とを備え、前記ゲートの開状態移行に際して、レバー５の回転角に対するゲートの回転角の割合を、ゲート４の開き始めは小さく、開くに従って大きくなるように設定する。【選択図】        図２
2006169825.tif 000002
【特許請求の範囲】
【請求項１】
生コンクリートを投入するためのホッパ本体と、上部が前記ホッパ本体に回転中心のまわりに回転自在に取り付けられて該ホッパ本体の下端吐出口を開閉するゲートと、該ゲートを開閉操作する開閉用レバーとを備えた生コンクリート用のバケットにおいて、
前記ホッパ本体の側壁に突設された固定軸と、
この固定軸のまわりに回転自在で、かつ、前記開閉用レバーの基端部が固定された第１リンクと、
この第１リンクに第１ピンを中心に回転自在で、かつ、前記ゲートの側板に第２ピンを中心に回転自在に取り付けられた第２リンクとを備え、
前記ゲートが閉じている閉状態から、前記開閉用レバーの操作で前記ゲートが開いた開状態に移行させる際に、前記開閉用レバーの回転角に対する前記ゲートの回転角の割合が、該ゲートの開き始めは小さく、一方、該ゲートが開くに従って大きくなるように設定されていること
を特徴とする生コンクリート用のバケット。
【請求項２】
請求項１において、
前記ゲートは、前記側板の上部において前記ホッパ本体に回転自在に取り付けられており、
前記ゲートが前記閉状態から開状態に移行する際において、前記第１ピンの鉛直下方への移動量に対する水平方向の成分比が、前記ゲートの開き始めから該ゲートが開くに従って大きくなるように設定されていることを特徴とする生コンクリート用のバケット。
【請求項３】
請求項１もしくは２において
前記固定軸が前記ゲートの回転中心よりも下方で、かつ、前記第２リンクの上方に設けられ、前記固定軸から前記第１ピンまでの距離が、前記ゲートの回転中心から前記第２ピンまでの距離よりも短く設定されていることを特徴とする生コンクリート用のバケット。
【発明の詳細な説明】
【技術分野】
【０００１】
本発明は、生コンクリート用のバケットに関するものである。
【背景技術】
【０００２】
従来より、土木・建築現場などにおいて生コンクリートを型枠に打設する際に使用される生コンクリート用のバケットとして、図３（ａ），図３（ｂ）に示すものがある。これら生コンクリート用のバケット１は、上端開口部から生コンクリートを投入するためのホッパ本体２と、支軸３ａを介して上端部近傍がホッパ本体２の側壁に回転自在に取り付けられて、ホッパ本体２の下端吐出口２ａを開閉する第１ゲート４ａと、この第１ゲート４ａを開閉操作する開閉用レバー５とを備えているとともに、ホッパ本体２の下端吐出口２ａを開閉する第２ゲート４ｂの上端部近傍が支軸３ｂを介してホッパ本体２の側壁に回転自在に取り付けられることで、該第２ゲート４が第１ゲート４ａに対向して配設されている。そして、互いに噛み合う１対の歯車６ａ，６ｂやリンクからなる同期手段６によって、第１，第２ゲート４ａ，４ｂが連動可能に連結され、開閉用レバー５の開閉操作によって第１ゲート４ａに同期して第２ゲート４ｂが開閉動作するようになっている。なお、開閉用レバー５の基端部５ｅは、たとえば溶接によって第１ゲート４ａに取り付けられている。
【０００３】
一方、図４（ａ）に示す生コンクリート用のバケット１の同期手段６は、第１ゲート４ａの下端部近傍に回転自在に取り付けられて上方にのびる第１アーム６ｄと、第２ゲート４ａの下端部近傍に回転自在に取り付けられて上方にのびる第２アーム６ｅと、これら両アーム６ｄ，６ｅそれぞれの上端部を集合して回転自在に取り付けたローラ軸６ｆと、このローラ軸６ｆの軸まわりに回転自在なローラ６ｇとを有し、該ローラ６ｇの上下動案内用のガイド溝６ｈを設けてホッパ本体２の側壁に取り付けられているローラ案内板６ｉを備えている。なお、図４（ａ）において、下端吐出口２ａ、支軸３ａ，３ｂおよび第１，第２ゲート４ａ，４ｂなどについては、図３（ａ），（ｂ）と同一であるので、同一符号を付して重複する構造説明は省略する。
【０００４】
他方、図４（ｂ）に示す生コンクリート用のバケット１がある。この種のものは、ホッパ本体２の下側において側方にのびる架台７を設け、この架台７の端部で開閉用レバー５下端部の支点５ａを回転自在に支持するとともに、開閉用レバー５の作用点５ｂと第２ゲート４ｂの連結点４ｃとをリンク８によって回転自在に連結してある。なお、図４（ｂ）において、ホッパ本体２、下端吐出口２ａ、支軸３ａ，３ｂ、第１，第２ゲート４ａ，４ｂおよび１対のセクタ歯車６ａ，６ｂからなる同期手段６などについては、図３（ａ）と同一であるので、同一符号を付して重複する構造説明は省略する。
【０００５】
前記図３（ａ），（ｂ）で説明した従来の生コンクリート用のバケット１では、支軸３ａを回転中心にして開閉用レバー５を矢印Ｒ１方向に回転させると、支軸３ａを回転中心にして第１ゲート４ａが矢印Ｒ２方向に回転するとともに、この回転が同期手段６を介して第２ゲート４ｂに伝達され、該第２ゲート４ｂが第１ゲート４ａに同期して支軸３ｂを回転中心にして矢印Ｒ３方向に回転する。これによって、ホッパ本体２の下端吐出口２ａが開放されて、内部に投入されている生コンクリートが排出される。
【０００６】
また、前記図４（ａ）で説明した従来の生コンクリート用のバケット１では、支軸３ａを回転中心にして開閉用レバー５を矢印Ｒ１方向に回転させると、支軸３ａを回転中心にして第１ゲート４ａが矢印Ｒ２方向に回転し、かつ、ローラ軸６ｆを回転中心にして第１アーム６ｄが矢印Ｒ４方向に回転することによって、該ローラ軸６ｆおよびローラ６ｇはガイド溝６ｈに案内されながら引き下げられて下降するとともに、この下降に同期して第２アーム６ｅが押し下げられることで、ローラ軸６ｆを回転中心にして第２アーム６ｅが矢印Ｒ５方向に回転して、第２ゲート４ｂが支軸３ｂを回転中心にして矢印Ｒ３方向に回転する。これによって、ホッパ本体２の下端吐出口２ａが開放されて、内部に投入されている生コンクリートが排出される。
【０００７】
ところで、図３（ａ），（ｂ）および図４（ａ）に示す生コンクリート用のバケット１では、第１，第２ゲート４ａ，４ｂがホッパ本体２の下端吐出口２ａを閉じている閉状態から、開閉用レバー５の操作によって第１，第２ゲート４ａ，４ｂが下端吐出口２ａを開放する開状態に移行させる際に、開閉用レバー５の回転角に対する第１，第２ゲート４ａ，４ｂの回転角の割合が１対１で不変であるので、前記閉状態から開状態に移行する全領域において、開閉用レバー５の操作力がそのままの強さで第１，第２ゲート４ａ，４ｂに出力されることになる。ところが、第１，第２ゲート４ａ，４ｂが閉状態から開状態に移行する初期の段階では、開閉用レバー５に大きい抵抗が負荷されるので、この大きい抵抗に打ち勝つ出力を得るためには、前記初期の段階において相当に強い操作力で開閉用レバー５を回転させなければならず、第１，第２ゲート４ａ，４ｂの開放作業が困難である難点を有している。
【０００８】
一方、図４（ｂ）に示す生コンクリート用のバケット１では、開閉用レバー５を、支点５ａと作用点５ｂおよび力点５ｃとを備えている「てこ」によって構成するとともに、その作用点５ｂと第２ゲート４ｂの下端部連結点４ｃとをリンク８によって回転自在に連結してある。したがって、開閉用レバー５を矢印Ｒ１方向に回転させるために力点５ｃに加えられる開閉用レバー５の操作力は、「てこ」の原理によって作用点５ｂで強い操作出力に変換され、リンク８を介して第１ゲート４ａを矢印Ｒ３方向に、また第２ゲート４ｂを矢印Ｒ２方向に回転させることができる。このため、図３（ａ），（ｂ）および図４（ａ）に示す生コンクリート用のバケット１よりも大型の生コンクリート用のバケット１として使用することができる。
【０００９】
しかし、図３（ａ），（ｂ）および図４（ａ）に示す生コンクリート用のバケット１と同様に、第１，第２ゲート４ａ，４ｂがホッパ本体２の下端吐出口２ａを閉じている閉状態から、開閉用レバー５の操作によって第１，第２ゲート４ａ，４ｂが下端吐出口２ａを開放する開状態に移行させる際において、開閉用レバー５の回転角に対する第１，第２ゲート４ａ，４ｂの回転角の割合が不変であるので、前記閉状態から開状態に移行する全領域において、単に、開閉用レバー５の操作力が「てこ」の原理によって変換された強い力として第１，第２ゲート４ａ，４ｂに出力されるにしか過ぎない。ところが、閉状態から開状態に移行する初期の段階において、前述のように大きい抵抗に打ち勝つ操作出力を得るためには、たとえ操作力よりも出力が増大される構成であるといえども、やはり、前記初期の段階において相当に強い操作力で開閉用レバー５を回転させなければならず、第１，第２ゲート４ａ，４ｂの開放作業が困難である難点を有している。しかも、ホッパ本体２の下側おいて側方にのびて、該ホッパ本体２の外側に少しはみ出している架台７の端部に、開閉用レバー５の支点５ａが回転自在に支持されているので、開閉用レバー５の開操作時には、その力点５ｃを含む先端側の領域がホッパ本体２の側方へさらに大きくはみ出すことになる。したがって、現場の設置スペース上の制約により、設置不能な状態を招くおそれがあるので、使用範囲が制限される欠点もある。
【発明の開示】
【発明が解決しようとする課題】
【００１０】
解決しようとする問題点は、ゲートの開放初期の段階においては、相当に強い操作力で開閉用レバーを回転させなければならない点である。したがって、本発明の目的は、ゲートの開放初期の段階においては、強い操作力に頼ることなく、開閉用レバーの操作力を抑えた状態で容易にゲートを開放することができる生コンクリート用のバケットを提供することである。
【課題を解決するための手段】
【００１１】
前記目的を達成するために、本発明は、生コンクリートを投入するためのホッパ本体と、上部が前記ホッパ本体に回転中心のまわりに回転自在に取り付けられて該ホッパ本体の下端吐出口を開閉するゲートと、該ゲートを開閉操作する開閉用レバーとを備えた生コンクリート用のバケットにおいて、前記ホッパ本体の側壁に突設された固定軸と、この固定軸のまわりに回転自在で、かつ、前記開閉用レバーの基端部が固定された第１リンクと、この第１リンクに第１ピンを中心に回転自在で、かつ、前記ゲートの側板に第２ピンを中心に回転自在に取り付けられた第２リンクとを備え、前記ゲートが閉じている閉状態から、前記開閉用レバーの操作で前記ゲートが開いた開状態に移行させる際に、前記開閉用レバーの回転角に対する前記ゲートの回転角の割合が、該ゲートの開き始めは小さく、一方、該ゲートが開くに従って大きくなるように設定されている。
【発明の効果】
【００１２】
本発明によれば、開閉用レバーとともに第１リンクが固定軸のまわりに回転する回転角に対して、ゲートが回転中心のまわりに回転する回転角の割合を、ゲートの開き始めは小さく、ゲートが開くに従って大きくなるように設定していることによって、ゲートの開き始めでは、開閉用レバーと第１リンクの大きい回転に比べてゲートの回転が小さくなるので、開閉用レバーの操作力を増大した出力によってゲートを回転させることができる。このため、強い操作出力が要求されるゲートの開放初期の段階であっても、小さな操作力で容易にゲートを開放することができる。
【発明を実施するための最良の形態】
【００１３】
本発明においては、前記ゲートを、前記側板の上部において前記ホッパ本体に回転自在に取り付け、前記ゲートが前記閉状態から開状態に移行する際において、前記第１ピンの鉛直下方への移動量に対する水平方向の成分比を、前記ゲートの開き始めから該ゲートが開くに従って大きくなるように設定することが好ましい。
【００１４】
このように、第１ピンの下方への移動量に対する側方の成分比を、ゲートの開き始めから開くに従って大きくなるように設定することによって、ゲートの開き始めでは、第１ピンの下方への大きい移動量に比べてゲートの側方への回転が小さくなるので、開閉用レバーの操作力を増大した出力によってゲートを回転させることができる。このため、強い操作出力が要求されるゲートの開放初期の段階であっても、操作力を抑えた状態で容易にゲートを開放することができる。
【００１５】
また、本発明においては、前記固定軸を前記ゲートの回転中心よりも下方で、かつ、前記第２リンクの上方に設け、該固定軸から前記第１ピンまでの距離を、前記ゲートの回転中心から前記第２ピンまでの距離よりも短く設定することが好ましい。
【００１６】
これによると、前記第１リンク、前記第２リンク、前記ゲート側板からなる第３リンク、およびホッパ本体の側壁からなる固定リンクからなる四節回転連鎖が構成される。したがって、第１リンクの長さが第３リンクの長さよりも短いので、第１リンクの回転に比べゲートの回転が小さくなるので、開閉用レバーの操作力を増大した出力によってゲートを回転させることができる。このため、小さな操作力で容易にゲートを開放することができる。
【実施例】
【００１７】
以下、本発明に係る生コンクリート用のバケットの実施例を図面にしたがって説明する。
図１（ａ）は、本発明に係る生コンクリート用のバケットの実施例を示す正面図、図１（ｂ）は、図１（ａ）のｂ−ｂ線上にある駆動部を拡大して示す縦断側面図、図２は、駆動部分の実施例を拡大して示す正面図である。
【００１８】
図１（ａ），（ｂ）および図２において、生コンクリート用のバケット１は、上端開口部から生コンクリートを投入するためのホッパ本体２と、支軸３ａを介して上端部近傍がホッパ本体２の側壁に回転自在に取り付けられて、ホッパ本体２の下端吐出口２ａを開閉する第１ゲート４ａと、この第１ゲート４ａを開閉操作する開閉用レバー５とを備えているとともに、ホッパ本体２の下端吐出口２ａを開閉する第２ゲート４ｂの上端部近傍が支軸３ｂを介してホッパ本体２の側壁に回転自在に取り付けられることで、該第２ゲート４が第１ゲート４ａに対向して配設されている。そして、互いに噛み合う１対の歯車６ａ，６ｂからなる同期手段６によって、第１，第２ゲート４ａ，４ｂが連動可能に連結されている。
【００１９】
また、ホッパ本体１の側壁には、支軸（第１ゲート４ａの回転中心）３ａの斜め下方の位置に固定軸９が突設され、この固定軸９のまわりに回転自在に回転板（第１リンク）１０が取り付けられており、この回転板１０に開閉用レバー５の基端部５ｅがたとえば溶接によって取り付けられているとともに、回転板１０には、固定軸９の斜め下方の位置において連設板（第２リンク）１１の一端部が第１ピン１２のまわりに回転自在に取り付けられ、該連設板１１の他端部は、第１ゲート４ａの側板に対して支軸３ａの下側において第２ピン１３のまわりに回転自在に取り付けられている。そして、固定軸９から第１ピン１２までの距離Ｓが、支軸（第１ゲート４ａの回転中心回転）３ａから第２ピン１３までの距離Ｌよりも短く設定されている。
【００２０】
このように構成されている生コンクリート用のバケット１によれば、固定軸９を回転中心にして開閉用レバー５を矢印Ｒ１方向に回転させると、同時に回転板１０が固定軸９を回転中心にして矢印Ｒ６方向に回転する。この矢印Ｒ６方向への回転は、連設板１１を介して第１ゲート４ａに伝達される。よって、第１ゲート４ａは支軸３ａを回転中心にして矢印Ｒ２方向に回転するとともに、この回転が同期手段６を介して第２ゲート４ｂに伝達され、該第２ゲート４ｂが第１ゲート４ａに同期して支軸３ｂを回転中心にして矢印Ｒ３方向に回転する。これによって、ホッパ本体２の下端吐出口２ａが開放されて、内部に投入されている生コンクリートが排出される。しかも、開閉用レバー５の基端部５ｅが回転板１０に取り付けられているので、ホッパ本体２に対する開閉用レバー５のはみ出し量が小さくなって、開閉用レバー５の開操作時におけるホッパ本体２側方へのはみ出し量を小さく制限することができる。したがって、現場の設置スペース上の制約を緩和して、設置不能な状態を回避できるので、使用範囲を拡大することができる。
【００２１】
一方、開閉用レバー５の矢印Ｒ１方向の回転で、回転板１０が固定軸９を回転中心にして回転角θ１およびθ１に等しい大きさの回転角θ２によって矢印Ｒ６方向へ回転する際には、第１ピン１２の鉛直下方への移動量Ｖ１，Ｖ２に対する水平方向の成分比Ｈ１，Ｈ２が次第に大きくなる。したがって、支軸３ａを回転中心にして矢印Ｒ２方向に回転する第１ゲート４ａの当初の回転角αが若干開いた後の回転角βよりも小さい（α＜β）ので、強い操作出力が要求されるゲートの開放初期の段階であっても、操作力を抑えた状態で容易にゲートを開放することができる。
【００２２】
また、前記構成のように、固定軸９を第１ゲート４ａの回転中心３ａの斜め下方で、かつ、連接板１１の上方に設け、固定軸９から第１ピン１２までの距離Ｓを、回転中心３ａから第２ピン１３までの距離Ｌよりも短く設定している。したがって、回転板１０の回転が連接板１１を介して、第１ゲート４ａに伝達される場合には、回転板１０の大きい回転角（θ１，θ２）に比べて、第１ゲート４ａの回転角（α，β）が小さくなる（θ１＞α，θ２＞β）ので、開閉用レバー１０の操作力を増大した出力によって第１，第２ゲート４ａ，４ｂを回転させることができる。このため、小さな操作力で容易にゲートを開放することができる。
【００２３】
なお、前記実施例では、ホッパ本体２の下端吐出口２ａを互いに対向して配設された１対の第１，第２ゲート４ａ，４ｂによって開閉する構成で説明しているが、１つのゲートによってホッパ本体２の下端吐出口２ａを開閉する構成であってもよい。このような構成であれば、前記実施例で説明した同期手段６が不要になる。
【００２４】
また、前記実施例では、互いに噛み合う１対のセクタ歯車６ａ，６ｂからなる同期手段６によって、第１，第２ゲート４ａ，４ｂを連動可能に連結した構成で説明しているが、図３（ｂ）で説明したリンク６ｃからなる同期手段６であってもよい。
【図面の簡単な説明】
【００２５】
【図１】本発明に係る生コンクリート用のバケットの実施例を示し、図１（ａ）は正面図、図１（ｂ）は図１（ａ）のｂ−ｂ線上にある駆動部を拡大して示す縦断側面図である。
【図２】駆動部分の実施例を拡大して示す正面図である。
【図３】生コンクリート用のバケットの従来例を示し、図３（ａ）は第１従来例の正面図、図３（ｂ）は第２従来例の正面図である。
【図４】生コンクリート用のバケットの従来例を示し、図４（ａ）は第３従来例の正面図、図４（ｂ）は第４従来例の正面図である。
【符号の説明】
【００２６】
１：生コンクリート用のバケット
２：ホッパ本体
２ａ：ホッパ本体の吐出口
３ａ：支軸（回転中心）
４ａ：第１ゲート（ゲート）
４ｂ：第２ゲート（ゲート）
５：開閉用レバー
５ｅ：開閉用レバーの基端部
９：固定軸
１０：回転板（第１リンク）
１１：連接板（第２リンク）
１２：第１ピン
１３：第２ピン
Ｓ：固定軸から第１ピンまでの距離
Ｌ：回転中心から第２ピンまでの距離
ｈ：第１ピンの鉛直下方への移動量
ｌ：水平方向への成分
θ１：回転角
θ２：回転角
α：回転角
β：回転角
【図１】
2006169825.tif 000003
【図２】
2006169825.tif 000004
【図３】
2006169825.tif 000005
【図４】
2006169825.tif 000006